(57)【要約】【課題】薄葉紙の残量を外部から確実に確認することができる薄葉紙収納箱を提供する。【解決手段】薄葉紙収納箱１０は、複数のティシュペーパーＴを収納する薄葉紙収納箱であって、複数のティシュペーパーＴを収容する収納箱本体１１と、収納箱本体１１に収容されたティシュペーパーＴが取出し可能な開口部２１が設けられた上面部１２ａと、側面部とを有する蓋部１２と、蓋部１２の上面部１２ａの内面に、収納箱本体１１に収容されたティシュペーパーＴの束の上面に接するように設けられた延設部１３Ａと、を有し、収納箱本体１１に収容されたティシュペーパーＴの量に応じて蓋部１２の位置が収納箱本体１１の底面に対して移動可能である。【選択図】図１
2018140829.tif 000002
【特許請求の範囲】
【請求項１】
複数の薄葉紙を収納する薄葉紙収納箱であって、
複数の薄葉紙を収容する収納箱本体と、
前記収納箱本体に収容された前記薄葉紙が取出し可能な開口部が設けられた上面部と、側面部とを有する蓋部と、
前記上面部または前記側面部の内面に、前記収納箱本体に収容された前記薄葉紙の束の上面に接するように設けられた延設部と、
を有し、
前記収納箱本体に収容された前記薄葉紙の量に応じて前記蓋部の位置が前記収納箱本体の底面に対して移動可能であることを特徴とする薄葉紙収納箱。
【請求項２】
前記収納箱本体の本体側面部の外側に、前記本体側面部と隙間を有するように設けられたガイド部を備え、
前記本体側面部と前記ガイド部との間に、前記蓋部の前記側面部が前記収納箱本体の底面に対して移動可能に収容される、請求項１に記載の薄葉紙収納箱。
【請求項３】
前記延設部は、前記開口部を挟んで一対設けられている、請求項１または２に記載の薄葉紙収納箱。
【発明の詳細な説明】
【技術分野】
【０００１】
本発明は、薄葉紙収納箱に関する。
【背景技術】
【０００２】
ティシュペーパー、ワイプ、ペーパータオル、またはキッチンペーパーなどの薄葉紙は、カートンに収容された状態かそのままの状態で、薄葉紙収納箱に収納して使用されている。薄葉紙を収容した薄葉紙収納箱は、ホテル、レストラン、病院、または商業施設などの種々の場所に設置されており、薄葉紙収納箱内に薄葉紙がなくならないように、薄葉紙収納箱内に収容されているカートンを交換するか新しい薄葉紙を補充しながら使用されている。
【０００３】
薄葉紙収納箱内の薄葉紙の残量は、通常、薄葉紙収納箱の蓋を上方に開いて確認されている。しかし、毎回、薄葉紙収納箱の蓋を上方に開く必要があるので、薄葉紙収納箱内の薄葉紙の残量を確認するのは負担が伴う。
【０００４】
特に、薄葉紙収納箱がホテルなどの客室で使用される場合、薄葉紙収納箱は多数の客室などにそれぞれ設置されるので、全ての薄葉紙収納箱の蓋を上方に開いて薄葉紙の残量を確認するのは、客室の清掃時の作業負担が大きい。
【０００５】
そこで、薄葉紙の残量を簡単に確認できるようにするため、例えば、ロッドを薄葉紙収納箱の上面を貫通させてロッドの先端を薄葉紙の上面に接触させ、内部の薄葉紙の減少に応じてロッドが下がるようにしたティッシュケースなどが提案されている（例えば、特許文献１参照）。
【先行技術文献】
【特許文献】
【０００６】
【特許文献１】特開２０００−３３９７８号公報
【発明の概要】
【発明が解決しようとする課題】
【０００７】
しかしながら、特許文献１に記載の技術では、ロッドはティッシュケースとは別部材であり、ティッシュケースの外側に突出して設けられているので、使用時には組み立てる必要があり、手間がかかる。また、ロッドはティッシュケースの蓋部などに比べて軽い部材であるため、ティッシュケース内のティッシュの上面に安定して追従せず、ティッシュの残量を正確に確認できない可能性がある。
【０００８】
本発明の一態様は、簡易に組み立てることができると共に、薄葉紙の残量を外部から確実に確認することができる薄葉紙収納箱を提供することを目的とする。
【課題を解決するための手段】
【０００９】
本発明の第１の態様による薄葉紙収納箱は、複数の薄葉紙を収納する薄葉紙収納箱であって、複数の薄葉紙を収容する収納箱本体と、前記収納箱本体に収容された前記薄葉紙が取出し可能な開口部が設けられた上面部と、側面部とを有する蓋部と、前記上面部または前記側面部の内面に、前記収納箱本体に収容された前記薄葉紙の束の上面に接するように設けられた延設部と、を有し、前記収納箱本体に収容された前記薄葉紙の量に応じて前記蓋部の位置が前記収納箱本体の底面に対して移動可能である。
【００１０】
第１の態様によれば、蓋部の上面部または側面部の内面に延設部が設けられ、複数の薄葉紙を収納した収納箱本体に蓋部を被せた際に、延設部の下端部が収納箱本体に収容された薄葉紙の束の上面に接するように構成されている。これにより、収納箱本体に収容されている薄葉紙の量に応じて、蓋部の位置は、収納箱本体の底面に対して垂直方向に移動可能である。そのため、収納箱本体に収容されている薄葉紙が少なくなり、薄葉紙の束の上面の位置が下がることで、薄葉紙の束の上面の位置に追従して、延設部と共に蓋部が下がる。よって、第１の態様に係る薄葉紙収納箱によれば、蓋部の下がり具合を見ることで、収納箱本体内に収容されている薄葉紙の残量を外部から目視で確実に確認することができる。また、蓋部は、薄葉紙の使用量に応じて少しずつ下がり、薄葉紙収納箱の外観は大きく変化しないので、使用者は蓋部が移動していることに気づき難く、蓋部の移動を特に気にすることなく第１の態様に係る薄葉紙収納箱を使用することができる。さらに、延設部は、蓋部の上面部または側面部の内面に設けられているので、使用時には、蓋部を収納箱本体に被せるだけで足りる。そのため、第１の態様に係る薄葉紙収納箱は、特に蓋部および収納箱本体の外側に新しい部材を設ける必要はないので、簡易に組み立てて使用することができる。また、薄葉紙の束の上面には延設部を介して蓋部の重さが加えられるので、蓋部は、薄葉紙の束の上面の位置に追従して、延設部と共に安定して下がることができるので、薄葉紙の残量を安定して正確に確認することができる。
【００１１】
第２の態様では、前記収納箱本体の本体側面部の外側に、前記本体側面部と隙間を有するように設けられたガイド部を備え、前記本体側面部と前記ガイド部との間に、前記蓋部の前記側面部が前記収納箱本体の底面に対して移動可能に収容される。このような構成とすることにより、薄葉紙が取り出される際に、薄葉紙の束が動いて蓋部が揺れても、蓋部の移動は側面部とガイド部との間で抑えられるため、蓋部の移動を抑えることができる。これにより、蓋部を収納箱本体に被せた状態を安定して維持することができる。
【００１２】
第３の態様では、前記延設部は、前記開口部を挟んで一対設けられている。このような構成とすることにより、延設部を介した蓋部の重さが薄葉紙の上面にバランス良く分配されるので、蓋部を収納箱本体内に収容されている薄葉紙の束の上により安定して被せることができる。
【発明の効果】
【００１３】
本発明の一態様による薄葉紙収納箱は、簡易に組み立てることができると共に、薄葉紙の残量を外部から確実に確認することができる。
【図面の簡単な説明】
【００１４】
【図１】本発明の実施形態に係る薄葉紙収納箱の一例を示す斜視図である。
【図２】薄葉紙収納箱の分解斜視図である。
【図３】蓋部を内面側から見た時の一例を示す斜視図である。
【図４】蓋部の底面図である。
【図５】図１のＡ−Ａ断面で見た時の薄葉紙収納箱の使用前の状態を示す図である。
【図６】図１のＡ−Ａ断面で見た時の薄葉紙収納箱の状態の一例を示す図である。
【図７】図１のＡ−Ａ断面で見た時の薄葉紙収納箱の状態の一例を示す図である。
【図８】延設部の他の構成の一例を、蓋部の内面側を側面部を外して見た図である。
【図９】図１のＡ−Ａ断面で見た時の薄葉紙収納箱の他の構成の一例を示す側面図である。
【図１０】延設部の他の構成の一例を、蓋部の内面側を側面部を外して見た図である。
【図１１】薄葉紙収納箱の奥行き方向を延設部を通る断面で見た時の薄葉紙収納箱の他の構成の一例を示す側面図である。
【図１２】延設部の他の構成の一例を、蓋部の内面側を側面部を外して見た図である。
【図１３】図１のＡ−Ａ断面で見た時の薄葉紙収納箱の他の構成の一例を示す側面図である。
【発明を実施するための形態】
【００１５】
以下、本発明の実施の形態について、詳細に説明する。なお、理解の容易のため、図面における各部材の縮尺は実際とは異なる場合がある。また、以下の説明において、薄葉紙収納箱の高さ方向の一方を上または上方といい、薄葉紙収納箱の高さ方向の他方を下または下方という場合がある。さらに、本実施形態では、薄葉紙として、ティシュペーパーを用いる場合について説明する。また、本明細書では、３軸方向（Ｘ軸方向、Ｙ軸方向、Ｚ軸方向）の３次元直交座標系を用い、薄葉紙収納箱の幅方向をＸ方向とし、奥行き方向をＹ方向とし、高さ方向をＺ方向とする。
【００１６】
本発明の実施形態に係る薄葉紙収納箱について、図面を参照して説明する。図１は、本発明の実施形態に係る薄葉紙収納箱の一例を示す斜視図であり、図２は、薄葉紙収納箱の分解斜視図であり、図３は、蓋部を内面側から見た時の一例を示す斜視図であり、図４は、蓋部の底面図である。図１〜図４に示すように、本実施形態に係る薄葉紙収納箱１０は、収納箱本体１１、蓋部１２、延設部１３Ａ、およびガイド部１４を有し、収納箱本体１１および蓋部１２で形成される収容空間Ｓに、ティシュペーパーＴの束が収容されているカートン１５を備えている。
【００１７】
収納箱本体１１は、本体底面部１１ａと、本体底面部１１ａに連結された四つの本体側面部とからなる略直方体（立方体を含む）状に形成された箱体である。四つの本体側面部は、本体前面部１１ｂ、本体後面部１１ｃ、本体左側面部１１ｄ、および本体右側面部１１ｅで構成されている。
【００１８】
なお、本実施形態において、本体前面部１１ｂ、本体後面部１１ｃ、本体左側面部１１ｄ、および本体右側面部１１ｅの用語は、図１に示す状態の収納箱本体１１を便宜的に表わす用語である。
【００１９】
収納箱本体１１の材料としては、例えば、プラスチック、紙素材、木材が用いられる。プラスチックの材料としては、例えば、ポリエチレン、ポリプロピレン、ポリ塩化ビニル、ポリスチレン、ポリ酢酸ビニル、ポリウレタン、ポリテトラフルオロエチレン、ＡＢＳ樹脂、ＡＳ樹脂、アクリル樹脂などを用いることができる。紙素材としては、例えば、コートボール紙や厚紙などを用いることができる。
【００２０】
収納箱本体１１の成形方法は、特に限定されず、例えば、射出成形などの従来より公知の成形方法などを用いて形成することができる。
【００２１】
収納箱本体１１の外形寸法は、収納されるティシュペーパーＴの量や寸法などにより決定されるが、例えば、幅は１００〜１５０ｍｍ程度、奥行きは１００〜１４０ｍｍ程度、高さは３０〜６０ｍｍ程度とする。
【００２２】
蓋部１２は、上面部１２ａと、上面部１２ａに連結された四つの側面部とからなる略直方体（立方体を含む）状に形成された箱体である。四つの側面部は、前面部１２ｂ、後面部１２ｃ、左側面部１２ｄ、および右側面部１２ｅで構成されている。
【００２３】
なお、本実施形態において、前面部１２ｂ、後面部１２ｃ、左側面部１２ｄ、および右側面部１２ｅの用語は、それぞれ、収納箱本体１１の本体前面部１１ｂ、本体後面部１１ｃ、本体左側面部１１ｄ、および本体右側面部１１ｅと同様、図１に示す状態の蓋部１２を便宜的に表わす用語である。
【００２４】
蓋部１２の幅方向（Ｘ方向）および奥行き方向（Ｙ方向）の内面の長さは、収納箱本体１１の幅方向（Ｘ方向）および奥行き方向（Ｙ方向）の外面の長さよりも長めとする。これにより、蓋部１２の四つの側面部が収納箱本体１１の四つの側面部を囲うことができる。
【００２５】
蓋部１２の側面部の高さは、収納箱本体１１の本体側面部の高さよりも高くする。蓋部１２の側面部の高さを収納箱本体１１の本体側面部の高さよりも高くする理由については、後述する。
【００２６】
蓋部１２は、収納箱本体１１から上方に外されることで、収納箱本体１１の上方から、カートン１５の交換を行うことができる。
【００２７】
蓋部１２は、上面部１２ａに、収容空間Ｓに収容されているティシュペーパーＴを取り出すための開口部２１を備える。開口部２１は、収容空間Ｓに収容されているティシュペーパーＴを上面部１２ａ側から一枚（１プライ）ずつ取り出す際の取り出し口であり、上面部１２ａの奥行き方向Ｙの中央に幅方向Ｘに沿って略長方形状に形成されている。使用時には、開口部２１を通じて、収容空間Ｓに収容されているティシュペーパーＴが取り出される。なお、ティシュペーパーＴが複数枚を積層したプライの場合は、開口部２１から、複数プライずつ（例えば、二枚のティシュペーパーＴを積層したプライの場合は２プライずつ）取り出される。
【００２８】
開口部２１の幅方向Ｘである長さや奥行き方向Ｙである幅は、ティシュペーパーＴの大きさなどに基づいて適宜定めることができる。
【００２９】
なお、本実施形態では、開口部２１は、蓋部１２の上面部１２ａの奥行き方向Ｙの中央に幅方向Ｘに沿って略長方形状に形成されているが、これに限定されず、ティシュペーパーＴをスムーズに取り出すことができれば、他の形状でもよい。
【００３０】
延設部１３Ａは、蓋部１２の上面部１２ａの内面に、長手方向に開口部２１を挟んで一対設けられている。一対の延設部１３Ａの下端面１３１ａは、蓋部１２を収納箱本体１１に被せた時に、収納箱本体１１に収容されているティシュペーパーＴの束の上面に接する。延設部１３Ａを開口部２１を挟んで一対設けることで、蓋部１２を収納箱本体１１内に収容されているティシュペーパーＴの束の上に安定して設置することができる。なお、本実施形態では、延設部１３Ａが一対設けられているが、二対以上設けてもよい。
【００３１】
延設部１３Ａは、蓋部１２の重さにより変形しない強度を有する材料で形成されていれば、延設部１３Ａを形成する材料は、特に限定されず、例えば、プラスチックを用いることができる。プラスチックの材料としては、上記の収納箱本体１１や蓋部１２と同様の材料を用いることができる。
【００３２】
延設部１３Ａは、蓋部１２と一体に形成されていてもよいし、蓋部１２とは別の部材で形成されていてもよい。
【００３３】
延設部１３Ａの幅方向Ｘの長さの和は、蓋部１２の幅方向Ｘの長さの２０〜４０％であることが好ましい。延設部１３Ａの幅方向Ｘの長さが、上記範囲内であれば、延設部１３Ａの下端面１３１ａとティシュペーパーＴとの接触面積が広くなり、延設部１３ＡがティシュペーパーＴを押圧する際の単位面積当たりの重さ（圧力）を小さくすることができる。そのため、ティシュペーパーＴを取り出す際の単位面積当たりの摩擦抵抗を軽減でき、ティシュペーパーＴを取り出しやすい状態を維持することができる。
【００３４】
延設部１３Ａの下端面１３１ａは、延設部１３Ａよりも摩擦係数の小さい部材で構成されていてもよいし、下端面１３１ａの表面に延設部１３Ａよりも摩擦係数の小さい部材で形成されたシートなどが貼付されていてもよい。これにより、下端面１３１ａをティシュペーパーＴが滑りやすくなるため、ティシュペーパーＴの取り出しを円滑にすることができる。なお、摩擦係数の小さい部材を構成する材料としては、延設部１３Ａよりも摩擦係数の小さい材料であれば特に限定されるものではなく、例えば、フッ素樹脂などを用いることができる。
【００３５】
延設部１３Ａの高さ（Ｚ方向）は、蓋部１２の側面部の高さ（Ｚ方向）と、カートン１５の交換の指標とするティシュペーパーＴの残量の割合とに基づいて決定される。例えば、収容空間Ｓ内に残っているティシュペーパーＴの残量が、カートンのティシュペーパーＴが未使用の時の量（１００％）に対して、カートンの交換の目安である量（例えば、３０％程度）になったとする。この時に、延設部１３Ａの高さは、蓋部１２の側面部の下端部が収納箱本体１１の本体底面部１１ａの下面と同じ位置になるように設置する。
【００３６】
ガイド部１４は、収納箱本体１１の本体側面部の外側に、本体側面部と所定の隙間（溝）を有するように設けられている。本実施形態では、ガイド部１４は、収納箱本体１１の本体底面部１１ａから所定の長さ延出して、本体側面部と略平行となるように垂直方向に延びて形成されている。収納箱本体１１の本体側面部とガイド部１４とにより形成される隙間（溝）に、蓋部１２の側面部が収納箱本体１１の本体底面部１１ａに対して移動可能に収容されている。開口部２１からティシュペーパーＴが取り出される際などに、ティシュペーパーＴの束が動いて蓋部１２が揺れる可能性がある。このような場合でも、蓋部１２の側面部は、収納箱本体１１の本体側面部とガイド部１４との間にあるので、収納箱本体１１の本体側面部およびガイド部１４により、蓋部１２の移動を抑えることができる。そのため、収納箱本体１１内に収容されているティシュペーパーＴの残量に拘わらず、蓋部１２を収納箱本体１１に被せた状態を安定して維持することができる。
【００３７】
なお、収納箱本体１１の本体側面部とガイド部１４との隙間（溝）は、蓋部１２の側面部が前記溝内をスムーズに移動しうる幅を有していればよく、特に限定されない。
【００３８】
ガイド部１４は、収納箱本体１１の本体側面部のうちの右側面部１２ｅに、ガイド部１４の一部を切り抜いた切欠き部２２を設けている。これにより、蓋部１２の側面部の下端部の位置を確認することができるので、ティシュペーパーＴの残量を外部から確認することができる。
【００３９】
なお、本実施形態では、切欠き部２２は、右側面部１２ｅに設けられているが、前面部１２ｂ、後面部１２ｃ、または左側面部１２ｄに設けられていてもよいし、収納箱本体１１の本体側面部のいずれかの複数の面に設けられていてもよい。
【００４０】
カートン１５は、ティシュペーパーＴの束を内部に収容しており、収納箱本体１１の本体底面部１１ａの上に置かれる。カートン１５は、カートン１５の上面に、破断用切目線（ミシン目）を介してカートン１５と一体となっている取出し用蓋２４を有する。使用時には、取出し用蓋２４を破断用切目線に沿って切り離し、カートン１５の上面に取出口１５ａを形成する。これにより、収容空間Ｓ内のティシュペーパーＴは、取出口１５ａから上側から順に取り出すことができる。なお、本実施形態において、破断用切目線は、使用時において取出し用蓋２４を切り離す線を意味する。
【００４１】
また、本実施形態では、取出口１５ａは、延設部１３ＡがティシュペーパーＴの束の上面と接することができるように、ティシュペーパーＴを取り出すための薄葉紙取出し用孔と、延設部１３Ａを貫通させるための貫通用孔とを一体として形成されている。そして、取出口１５ａの端は、カートン１５の側面まで延びるように形成されている。しかし、本実施形態は、これに限定されない。例えば、カートン１５の上面に、薄葉紙取出し用孔と、貫通用孔とが、それぞれ別々に設けるようにしてもよい。
【００４２】
使用開始時には、図５に示すように、収納箱本体１１の本体底面部１１ａ上に、取出し用蓋２４を切り離したカートン１５を置き、収納箱本体１１の上面を被せるように、収納箱本体１１の上面に蓋部１２を被せる。このとき、ティシュペーパーＴの使用前（残量１００％）で、ガイド部１４の底面部の下面から蓋部１２の側面部の下端部までの高さをｈ１とする。
【００４３】
カートン１５に収容される複数のティシュペーパーＴは、方形のティシュペーパーＴが二つ折りされ、その折り返し片の縁が上下に隣接するティシュペーパーＴの折り返し片の内面に位置するようにして、互い違いに重なり合いつつ積層されている。最上面側に位置するティシュペーパーＴは、取出口１５ａを通って蓋部１２の開口部２１から飛び出ている。使用時には、蓋部１２の開口部２１から飛び出ているティシュペーパーＴが開口部２１から上方に引っ張られると、隣接する他の一枚のティシュペーパーＴの折り返し片が引きずられ、開口部２１から次に取り出されるティシュペーパーＴの一部が露出する。これにより、ティシュペーパーＴは、開口部２１から連続的に取り出すことができる。
【００４４】
その後、図６に示すように、ティシュペーパーＴが順次引き出されて、ティシュペーパーＴの束の上面の位置が下がるにしたがい、ティシュペーパーＴの束の上面の位置に追従して、延設部１３Ａと共に蓋部１２の側面部の下端部が下がる。このとき、ティシュペーパーＴが所定枚数取り出されて、ティシュペーパーＴの残量が、例えば、５０％程度になった時、ガイド部１４の底面部の下面から蓋部１２の側面部の下端部までの高さをｈ２とする。
【００４５】
ティシュペーパーＴがさらに引き出されて、ティシュペーパーＴの束の上面の位置がさらに下がり、例えば、薄葉紙の残量が３０％以下になると、図７に示すように、蓋部１２の側面部の下端部は、ガイド部１４の底面部の上面に接触する。そして、ガイド部１４の底面部の下面から蓋部１２の側面部の下端部までの高さｈ３がガイド部１４の底面部の厚さ分だけになるように蓋部１２の高さを設定する。したがって、蓋部１２の側面部の下端部がガイド部１４の底面部の上面に接している時は、収容空間Ｓ内に残っているティシュペーパーＴの残量が、３０％以下となっていることから、カートン１５を交換する必要があると判断する。
【００４６】
なお、ガイド部１４の底面部の下面から蓋部１２の側面部の下端部までの高さが、上記のｈ２となる位置になったことを示す目印を本体側面部に付けて、カートン１５を交換する目安として使用することも可能である。例えば、点検時などに、ガイド部１４の底面部の下面から蓋部１２の側面部の下端部までの高さがｈ２以下であるとする。しかし、比較的多数の人に本実施形態に係る薄葉紙収納箱１０が利用されることが見込まれる場合には、上記の高さｈ２をカートン１５を交換する目安として使用することができる。
【００４７】
よって、本実施形態に係る薄葉紙収納箱１０によれば、収納箱本体１１に収容されているティシュペーパーＴの残量に応じて蓋部１２の位置を収納箱本体１１の底面に対して移動可能としている。これにより、ティシュペーパーＴの残量を外部から確実に確認することができる。そのため、収納箱本体１１内のティシュペーパーＴの残量がカートン１５の交換の目安の量にまで少なくなった場合には、新しいカートン１５に交換する。これにより、ティシュペーパーＴが途中でなくなる可能性を小さくすることができ、薄葉紙収納箱１０は連続して使用することもできる。
【００４８】
このように、本実施形態に係る薄葉紙収納箱１０は、ティシュペーパーＴの残量を外部から目視で簡単に確認することができる。これにより、ティシュペーパーＴの残量を確認するために、蓋部１２を上方に開けてカートン１５の交換時期を確認するなどの作業負担を軽減することができる。
【００４９】
また、作業員によってカートン１５の交換時期の判断に相違が生じることを低減することができるので、カートン１５の交換を適切な時期で行うことができる。これにより、ティシュペーパーＴを無駄に捨てるのを軽減することができる。
【００５０】
さらに、ティシュペーパーＴの残量を確認するために、蓋部１２を上方に開けて、例えば、収容空間Ｓ内に残っているティシュペーパーＴを指で押圧してティシュペーパーＴの残量を確認するなど、使用前のティシュペーパーＴに触れるのを軽減することができる。そのため、実施形態に係る薄葉紙収納箱１０は、ティシュペーパーＴを衛生上好ましい状態を維持しながら使用することができる。
【００５１】
また、本実施形態に係る薄葉紙収納箱１０は、使用時に収納箱本体１１や蓋部１２に別の部材を取り付けるなど組み立て作業が不要であるので、本実施形態に係る薄葉紙収納箱１０は、簡易に収納箱本体１１と蓋部１２とを組み立てて使用することができる。
【００５２】
したがって、本実施形態に係る薄葉紙収納箱１０は、上記のような特徴を有するので、特に、ホテルの客室、レストラン、病院、または商業施設などにおいて好適に使用することができる。
【００５３】
なお、本実施形態では、カートン１５を収納箱本体１１の本体底面部１１ａ上に置いて、ティシュペーパーＴの束を収容空間Ｓに設けるようにしているが、これに限定されるものではなく、ティシュペーパーＴの束を本体底面部１１ａ上に直接置くようにしてもよい。
【００５４】
また、本実施形態では、延設部１３Ａは、矩形状とし、蓋部１２の上面部１２ａの裏面に設けているが、蓋部１２を支持しつつティシュペーパーＴの束の上面上に置くことができれば、延設部１３Ａの形状、位置は特に限定されない。以下に、延設部１３Ａの形状、位置の変形例について、いくつか説明する。
【００５５】
本実施形態では、延設部１３Ａの形状を矩形状とし、延設部１３Ａの下端面１３１ａの全面がティシュペーパーＴと接触するようにしているが、これに限定されるものではない。図８は、延設部の他の構成の一例を、蓋部１２の内面側を側面部を外して見た図である。図８に示すように、円弧状に形成した下端面１３１ｂを有する延設部１３Ｂを用いてもよい。図９に示すように、ティシュペーパーＴを取り出す際、円弧状の下端面１３１ｂはティシュペーパーＴとの摩擦抵抗を低減することができる。これにより、蓋部１２をティシュペーパーＴの束の上にのせた状態でもティシュペーパーＴをスムーズに取り出すことができる。
【００５６】
本実施形態では、延設部１３Ａの下端面１３１ａのみで、蓋部１２をティシュペーパーＴ上に支持しているが、これに限定されるものではない。例えば、図１０、および図１１に示すように、延設部１３Ａは、延設部１３Ａの両側面の下端側にローラー２６を一対備えてもよい。これにより、延設部１３ＡをティシュペーパーＴの束の上面により安定して置くことができるので、蓋部１２をティシュペーパーＴの束上により安定して支持することができる。
【００５７】
本実施形態では、延設部１３Ａは蓋部１２の上面部１２ａの裏面に設けられているが、延設部１３Ａの設置場所はこれに限定されるものではない。例えば、図１２、および図１３に示すように、蓋部１２の左側面部１２ｄおよび右側面部１２ｅに対向するように、矩形状の延設部１３Ｃを一対設けるようにしてもよい。なお、図１２、および図１３では、カートン１５を収容空間Ｓ内に設けず、ティシュペーパーＴの束を収容空間Ｓに設けている。延設部１３Ｃは、延設部１３Ｃの下端面１３１ｃがティシュペーパーＴの上面に接するように蓋部１２の左側面部１２ｄおよび右側面部１２ｅに設けられている。これにより、収納箱本体１１に収容されているティシュペーパーＴの残量に応じて蓋部１２の位置を収納箱本体１１の底面に対して移動可能とすることができる。また、延設部１３Ｃの下端面は、円弧状に形成されていてもよい。これにより、ティシュペーパーＴとの摩擦抵抗を低減することができるので、蓋部１２をティシュペーパーＴの束の上にのせた状態でもティシュペーパーＴをスムーズに取り出すことができる。
【００５８】
なお、図１２、および図１３では、延設部１３Ｃは、蓋部１２の左側面部１２ｄおよび右側面部１２ｅに対向するように設けられているが、前面部１２ｂおよび後面部１２ｃに対向するように設けられてもよい。また、本実施形態では、延設部１３Ｃが一対設けられているが、二対以上設けてもよい。
【００５９】
本実施形態では、延設部１３Ａは、蓋部１２の上面部１２ａの裏面に二つ設けられているが、これに限定されるものではなく、一つでもよい。例えば、延設部１３Ａは蓋部１２の上面部１２ａの裏面に開口部２１の周囲を囲うように設けられていてもよい。
【００６０】
本実施形態では、収納箱本体１１および蓋部１２は、撥水処理が施されていてもよい。これにより、収納箱本体１１および蓋部１２の表面に水や飲料水などが付着しても弾くことができるので、収納箱本体１１および蓋部１２の表面に水や飲料水などが染みつくことを防ぐことができる。なお、撥水剤としては、例えば、シリコーン系、フッ素系、ポリエチレンイミン系、アクリル系の撥水剤を用いることができる。
【００６１】
本実施形態では、収納箱本体１１および蓋部１２は、抗菌処理が施されていてもよい。これにより、収納箱本体１１および蓋部１２の表面が汚れることを防ぐことができる。なお、抗菌剤としては、例えば、エタノールなどのアルコール類、次亜塩素酸や次亜塩素酸塩などの塩素化合物、過酸化水素や過酢酸などの過酸化物、酢酸やソルビン酸などの有機酸またはこれらの有機酸塩、第４級アンモニウム塩など安全性の高い試薬などを用いることができる。
【００６２】
本実施形態では、ガイド部１４を収納箱本体１１の本体側面部の外側に設けているが、これに限定されるものではなく、ガイド部１４を本体側面部の外側に設けることなく、蓋部１２を収納箱本体１１に被せるようにしてもよい。
【００６３】
本実施形態では、薄葉紙としてティシュペーパーを用いて説明したが、これに限定されるものではなく、ペーパータオル、キッチンペーパー、または掃除用ワイプなど他の薄葉紙も用いることができる。
【００６４】
なお、収容空間Ｓに収容されるティシュペーパーＴの大きさは、例えば、上面及び底面の形状が、６０〜１３０ｍｍ×１５０〜２５０ｍｍ、高さが２０〜１１０ｍｍ程度である。ティシュペーパーのプライ数は、２プライであり、その１プライ当たりの坪量は１０〜２０ｇ／ｍ２、より好ましくは１４．０〜１８．０ｇ／ｍ２である。また、紙厚は、２プライで１３０〜２００μｍであり、より好ましくは１４５〜１７５μｍである。なお、坪量とは、ＪＩＳ  Ｐ  ８１２４（１９９８）に基づいて測定した値を意味する。紙厚は、試験片をＪＩＳ  Ｐ  ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。乾燥引張紙力は、ＪＩＳ  Ｐ  ８１１３（２００６）に基づき、乾燥引張紙力（縦）が１００〜８００ｃＮ／２５ｍｍ、乾燥引張紙力（横）が５０〜３００ｃＮ／２５ｍｍである。湿潤引張紙力はＪＩＳ  Ｐ  ８１３５に基づき、湿潤引張紙力（縦）が５０〜３００ｃＮ／２５ｍｍ、湿潤引張紙力（横）２０〜２００ｃＮ／２５ｍｍである。なお、各引張紙力及び伸び率における試料は、２５ｍｍ幅での測定値である。
【００６５】
収容空間Ｓにペーパータオルを収容する場合、ペーパータオルの大きさは、上面及び底面の形状が、６０〜１３０ｍｍ×２００〜３００ｍｍ、高さが２０〜１１０ｍｍ程度である。ペーパータオルのプライ数は、１プライまたは２プライ以上の複数プライのものとすることができる。１プライ当たりの坪量が８〜５０ｇ／ｍ２、好ましくは１０〜４０ｇ／ｍ２である。また、紙厚は、製品時のプライ（例えば、製品時が２プライの場合、２プライのまま）で、８０〜２００μｍ、より好ましくは１００〜１５０μｍである。乾燥引張紙力は、ＪＩＳ  Ｐ  ８１１３（２００６）に基づき、乾燥引張紙力（縦）が８００〜２０００ｃＮ／２５ｍｍ、乾燥引張紙力（横）が２００〜１０００ｃＮ／２５ｍｍである。湿潤引張紙力は、ＪＩＳ  Ｐ  ８１３５に基づき、湿潤引張紙力（縦）が２００〜１５００ｃＮ／２５ｍｍ、湿潤引張紙力（横）が１００〜１０００ｃＮ／２５ｍｍである。
【００６６】
以上の通り、実施形態を説明したが、上記実施形態は、例として提示したものであり、上記実施形態により本発明が限定されるものではない。上記実施形態は、その他の様々な形態で実施されることが可能であり、発明の要旨を逸脱しない範囲で、種々の組み合わせ、省略、置き換え、変更などを行うことが可能である。これら実施形態やその変形は、発明の範囲や要旨に含まれると共に、特許請求の範囲に記載された発明とその均等の範囲に含まれる。
【符号の説明】
【００６７】
１０  薄葉紙収納箱
１１  収納箱本体
１１ａ  本体底面部
１１ｂ  本体前面部（本体側面部）
１１ｃ  本体後面部（本体側面部）
１１ｄ  本体左側面部（本体側面部）
１１ｅ  本体右側面部（本体側面部）
１２  蓋部
１２ａ  上面部
１２ｂ  前面部（側面部）
１２ｃ  後面部（側面部）
１２ｄ  左側面部（側面部）
１２ｅ  右側面部（側面部）
１３Ａ〜１３Ｃ  延設部
１４  ガイド部
１５  カートン
２２  切欠き部
Ｌ１〜Ｌ３  距離
Ｔ  ティシュペーパー
Ｘ  幅方向
Ｙ  奥行き方向
Ｚ  高さ方向
【図１】
2018140829.tif 000003
【図２】
2018140829.tif 000004
【図３】
2018140829.tif 000005
【図４】
2018140829.tif 000006
【図５】
2018140829.tif 000007
【図６】
2018140829.tif 000008
【図７】
2018140829.tif 000009
【図８】
2018140829.tif 000010
【図９】
2018140829.tif 000011
【図１０】
2018140829.tif 000012
【図１１】
2018140829.tif 000013
【図１２】
2018140829.tif 000014
【図１３】
2018140829.tif 000015